(57)【特許請求の範囲】
【請求項１】
ボトムを背に対応する背ボトムと、腰から膝にかけての膝ボトムと、足に対応する足ボトムとに分割して、前記背ボトムを背上げ機構により起伏可能に支持する一方、前記膝ボトムと足ボトムとを膝上げ機構により連動起伏可能に支持する構成としたベッド等において、背ボトムの背下げ動作を行う際、当初膝ボトムの膝上げ動作を開始して、次いで前記背ボトムの背下げ動作を開始し、所定時間経過し、且つ前記膝ボトムが所定位置に達したら、前記膝ボトムの膝上げ動作を停止すると共に次いで膝ボトムの膝下げ動作を開始し、前記背ボトムの背下げ動作完了後に前記膝ボトムの膝下げ動作を完了させるようにしたことを特徴とするベット等におけるボトム下げ動作制御方法。
【請求項２】
ボトムを背に対応する背ボトムと、腰から膝にかけての膝ボトムと、足に対応する足ボトムとに分割して、前記背ボトムを背上げ機構により起伏可能に支持する一方、前記膝ボトムと足ボトムとを膝上げ機構により連動起伏可能に支持する構成としたベッド等を、背ボトムの背上げ状態と膝ボトムの膝上げ状態から、背ボトムの背下げ動作を行う際、当初前記膝ボトムを所定位置に調節するべく動作を開始して、次いで前記背ボトムの背下げ動作を開始し、前記膝ボトムが所定位置に至ったら膝ボトムの動作を停止させ、次いで前記膝ボトムの膝下げ動作を開始して、前記背ボトムの背下げ動作完了後に前記膝ボトムの膝下げ動作を完了させるようにしたことを特徴とするベット等におけるボトム下げ動作制御方法。
【請求項３】
前記膝ボトムの所定位置をあらかじめ設定可能としたことを特徴とする請求項１または２記載のベッド等におけるボトム下げ動作制御方法。
【請求項４】
前記所定時間を調節可能としたことを特徴とする請求項１記載のベット等におけるボトム下げ動作制御方法。
【発明の詳細な説明】
【０００１】
【発明の属する技術分野】
本発明は、ボトム起伏機能を有するベッド等において、特に、背下げ動作時における、身体のずれを抑制するようにした、ベット等におけるボトム下げ動作制御方法に関するものである。
【０００２】
【従来の技術】
現在の背上げや、膝上げが可能ないわゆるギャッチベッドにおいては、Ａ．背上げ操作用のスイッチ、膝上げ操作用のスイッチをオンオフ操作して、背上げ用モータ、膝上げ用モータを起動して、それぞれ背上げ、膝上げを行ったり、Ｂ．背上げと膝上げとが機構的に連動になっていて、動作用モータが共用になっているタイプのものでは、所定の動作タイミングで背上げ膝上げがなされというように、使用者自らスイッチ操作して、望みどおりの体位をとることができるとしている。
ところで、背上げだけを行う場合、初期段階から、背中面に背ボトムから腰側に押し込めるような力がかかり、この結果、身体がずり落ちていく。このまま背上げを続行していくことで、本来は曲がりにくい腰椎を曲げようとするため、下腹部が圧迫されるような感じを受ける。
このような背上げ時の圧迫感やずり下がりを抑えるためには、背ボトムと膝ボトムとを連携して動作させることが効果的であるとされている。
【０００３】
【発明が解決しようとする課題】
しかしながら、上述のベッドにおいては、背上げ時ばかりでなく、背下げ動作時においても、背ボトムから背中面へ力がかかって、身体のずれを引き起こす。  かかる背下げ動作時のずれの抑制のために、これまで、特別な対策を講じられてきたわけではなく、背下げ完了後、介護者はその都度、患者の身体をベッド上で移動させてずれを直す作業をしなければならなかった。
本発明はこのような背景から提案されたものであって、ボトム起伏機能を有するベッド等において、特に、背下げ動作時における、身体のずれを抑制することができるようにした、ベット等におけるボトム下げ動作制御方法を提供することを目的とする。
【０００４】
【課題を解決するための手段】
前記した課題を解決するために、本発明では、請求項１において、ボトムを背に対応する背ボトムと、腰から膝にかけての膝ボトムと、足に対応する足ボトムとに分割して、前記背ボトムを背上げ機構により起伏可能に支持する一方、前記膝ボトムと足ボトムとを膝上げ機構により連動起伏可能に支持する構成としたベッド等において、背ボトムの背下げ動作を行う際、当初膝ボトムの膝上げ動作を開始して、次いで前記背ボトムの背下げ動作を開始し、所定時間経過し、且つ前記膝ボトムが所定位置に達したら、前記膝ボトムの膝上げ動作を停止すると共に次いで膝ボトムの膝下げ動作を開始し、前記背ボトムの背下げ動作完了後に前記膝ボトムの膝下げ動作を完了させるようにしたベット等におけるボトム下げ動作制御方法を提案する。
また本発明では、請求項２において、ボトムを背に対応する背ボトムと、腰から膝にかけての膝ボトムと、足に対応する足ボトムとに分割して、前記背ボトムを背上げ機構により起伏可能に支持する一方、前記膝ボトムと足ボトムとを膝上げ機構により連動起伏可能に支持する構成としたベッド等を、背ボトムの背上げ状態と膝ボトムの膝上げ状態から、背ボトムの背下げ動作を行う際、当初前記膝ボトムを所定位置に調節するべく動作を開始して、次いで前記背ボトムの背下げ動作を開始し、前記膝ボトムが所定位置に至ったら膝ボトムの動作を停止させ、次いで前記膝ボトムの膝下げ動作を開始して、前記背ボトムの背下げ動作完了後に前記膝ボトムの膝下げ動作を完了させるようにしたベット等におけるボトム下げ動作制御方法を提案する。
また本発明では、請求項３において、前記膝ボトムの所定位置をあらかじめ設定可能としたベッド等におけるボトム下げ動作制御方法を提案する。
さらに本発明では、請求項４において、前記所定時間を調節可能としたベット等におけるボトム下げ動作制御方法を提案する。
【０００５】
なお本発明において、ベッド等とは、病院用ベッドを初めとして、移送用ベッド（ストレッチャー）、Ｉ．Ｃ．Ｕベッド、在宅用ベッドも含むものとする。
【０００６】
請求項１によれば、当初膝ボトムの膝上げ動作を開始して次いで背ボトムの背下げ動作を開始する。前記膝ボトムは所定時間経過し、且つ所定位置まで傾斜したら停止して、次に前記膝ボトムの膝下げ動作を開始する。これによって使用者の上半身は前記膝ボトムで支えられ、背ボトムの背下げ動作が完了した後に前記膝ボトムの膝下げ動作が完了するので、上半身のずり下がりを抑えることができる。
【０００７】
請求項２によれば、背ボトムの背上げ状態と膝ボトムの膝上げ状態から、背ボトムの背下げ動作を行う際、当初前記膝ボトムを所定位置に調節するべく動作を開始して、次いで前記背ボトムの背下げ動作を開始し、前記膝ボトムが所定位置に至ったら膝ボトムの動作を停止させ、次いで前記膝ボトムの膝下げ動作を開始して、前記背ボトムの背下げ動作完了後に前記膝ボトムの膝下げ動作を完了させるようにしたので、使用者の上半身は背ボトムの背下げ動作が完了するまで前記膝ボトムで支えられ、上半身のずり下がりを抑えることができる。
【０００８】
請求項３によれば、使用者に応じて、膝ボトムの傾斜位置を調節して、最適化することで、ずり下がり抑制と共に、圧迫感を軽減した、快適な背下げ動作を行わせることができる。
【０００９】
請求項４によれば、使用者によって圧迫を感じる膝ボトムの膝上げ角度が違うので、膝上げ動作時間を調節することにより、使用者に応じた膝ボトムの膝上げ角度を設定することができる。
【００１０】
【発明の実施の態様】
以下、本発明である、ベット等におけるボトム下げ動作制御方法を、ベッド装置の一つの実施の形態を挙げて説明する。
図１に示すベッド装置のボトム１は、背に対応する背ボトム１ａと、腰から膝にかけての膝ボトム１ｂと、足に対応する足ボトム１ｃとに分割され、図示は省略しているが、前記背ボトム１ａ裏面に背上げ機構である背上げリンクを当接させる一方、膝ボトム１ｂと足ボトム１ｃとを連動起伏するために、膝ボトム１ｂ裏面に、膝上げ機構である膝上げリンクを取り付けており、これら背上げリンク、膝上げリンクを、それぞれ駆動手段（図示省略）に接続して、背上げ、膝上げを行う構成としている。
【００１１】
前記駆動手段には、例えば電動式の直動駆動機構（図示省略）を適用することができ、リモコンスイッチや付添人、看護婦等が操作するための操作パネルに配した操作スイッチ（図示省略）により、背上げ、膝上げ、およびギャッチ（背上げと共に膝上げ）にかかる操作指令によって、ベッドのフレーム等に設けたコントロールボックスに搭載のコントローラから、動作電力を供給して、それぞれ直動駆動機構を起動し、所望の姿勢調節を行うようにしている。
【００１２】
前記コントローラは、前記リモコンスイッチや操作パネルにおける操作スイッチによるスイッチ信号により、背上げ機構、または膝上げ機構を作動させる直動駆動機構のモータへ電力を与えたり遮断するもので、背上げ、膝上げ、およびギャッチ動作他、以下のような背下げ動作時の制御手順が設定してある。
（１）背上げ状態から、背下げにかかるスイッチ操作で、膝上げ動作（膝上げ用モータＯＮ）。次いでｔ時間後に背下げ動作（背上げ用モータ逆転ＯＮ）。所定時間（Ｔ）経過時に膝上げ停止（膝上げ用モータＯＦＦ）、膝下げ動作（膝上げ用モータ逆転ＯＮ）。背下げ動作続行で、背下げ動作完了（背上げ用モータＯＦＦ）し、その後、膝下げ動作完了で（膝上げ用モータＯＦＦ）。なお、Ｔ＞ｔ。
（２）ギャッチ状態から、復帰動作（背下げおよび膝下げ動作）にかかるスイッチ操作で、膝下げ動作（膝上げ用モータ逆転ＯＮ）、背下げ動作（背上げ用モータ逆転ＯＮ）。次いでｔ時間後に膝下げ停止（膝上げ用モータＯＦＦ）。膝下げ動作（膝上げ用モータ逆転ＯＮ）。背下げ動作続行で、背下げ動作完了（背上げ用モータＯＦＦ）し、その後、膝下げ動作完了で（膝上げ用モータＯＦＦ）。
また前記リモコンスイッチや操作パネルにおける操作スイッチには、膝上げ角度を調節する設定スイッチがあり、コントローラにおいて、膝上げ角度の調節指令に基づいて前記所定時間Ｔ（膝上げ角度）、すなわち、所定時間Ｔ、膝上げ用モータへの通電を行うように設定している。また、この場合、背ボトム１ａの背上げ角度は、膝ボトム１ｂとの角度が、例えば９０°以下にならないように制限するように設定してある。
なお、背上げ下げ速度、膝上げ下げ速度は、モータへの電力を一定にした状態で一定の速度を有するので、これを基に所定時間Ｔを設定している。したがって、モータへの電力を変えれば、背下げ速度、膝上げ速度もそれに対応して変わり、所定時間Ｔも変わることになる。
【００１３】
次に、かかる設定手順に基づいて、動作を説明する。
なお、使用者によって圧迫感を感じる膝上げ角度が異なるので、リモコンスイッチまたは操作パネルにおける膝上げ角度を調節する設定スイッチによって、あらかじめ膝上げ角度を設定しておく。
例えば、図１に示すようなボトム１が背上げした状態において、リモコンスイッチまたは操作パネルにおける操作スイッチを操作して、背下げ動作を行うべく動作指令を入力すると、先ず膝上げ機構の直動駆動機構におけるモータに動作電力が供給され、膝上げリンクが変位して、膝ボトム１ｂが傾斜していく（図２参照）。次いでｔ時間後に背上げ用モータ逆転ＯＮで背上げ機構の直動駆動機構におけるモータに動作電力が供給され、背上げリンクが変位して背ボトム１ａが倒伏していく（図３参照）。そして、所定時間（Ｔ）経過時に、膝上げ用モータへの通電はＯＦＦとなり（図４参照）、次いで膝上げ用モータ逆転ＯＮとなって今度は、前記膝上げ機構の直動駆動機構におけるモータへは、逆転起動するべく電力を与えて、膝ボトム１ｂを下降させることができる（図５参照）。
そして、前記背ボトム１ａの背下げ動作完了後、前記膝ボトム１ｂの下げ動作を完了し、ボトム１を、フラットな状態とすることができる。
このように、膝ボトム１ｂの膝下げ動作は、背ボトム１ａの背下げ動作の完了後に完了するので、使用者の上半身は、背ボトム１ａの背下げ動作が完了するまで前記膝ボトム１ｂで支えられ、上半身のずり下がりを抑えることができる。
【００１４】
以上、ボトムの背上げ状態から背下げ動作時の動作手順について説明したが、ギャッチ状態（背上げ状態および膝上げ状態）から、背下げ動作時においても、身体のずれを抑えるようにすることは可能である。この場合も使用者によって圧迫感を感じる膝上げ角度が異なるので、リモコンスイッチまたは操作パネルにおける膝上げ角度を調節する設定スイッチによって、あらかじめ膝上げ角度を設定しておく。なお、背ボトム１ａの最大の背上げ角度は、膝ボトム１ｂの膝上げ角度との関係（例えば９０°以上）から、決められる。
リモコンスイッチまたは操作パネルにおける操作スイッチを操作して、下げ動作（復帰動作）を行うべく動作指令を入力すると、背ボトム１ａの背上げ状態と膝ボトム１ｂの膝上げ状態から、当初膝上げ機構の直動駆動機構におけるモータに動作電力が供給され、前記膝ボトム１ｂを所定位置に調節するべく動作を開始して、次いで前記背ボトム１ａの背下げ動作を開始する。
前記膝ボトム１ｂが所定時間（Ｔ）経過時に所定位置に至ったら膝上げ用モータへの通電はＯＦＦとなり、膝ボトム１ｂの動作は停止する。
次いで前記膝ボトム１ｂの膝下げ動作を開始して、前記背ボトム１ａの背下げ動作完了後に前記膝ボトム１ｂの膝下げ動作を完了させるようにしたので、使用者の上半身は常時、前記膝ボトム１ｂで支えられ、背ボトム１ａの背下げ動作が完了するまで前記膝ボトム１ｂが傾斜した状態にあり、上半身のずり下がりを抑えることができる。
【００１５】
以上、ベッド等におけるボトム下げ動作制御方法に対応した一つの設定手順に基づいて、動作を説明したが、上述の手順では膝ボトム１ｂを設定時間動作させて停止させたり、再開させたりしているが、適宜な位置検出手段により、膝ボトム１ｂの傾斜状態を把握して、設定位置まで膝ボトム１ｂを上げ下げ動作を行わせるようにしてもよい。
この場合、例えば膝上げ機構の直動駆動機構におけるモータ自体に回転量検出手段を設けて、回転量から前記膝ボトム１ｂの膝上げ角度を捉えることができる。
また、前記直動駆動機構を構成する直動軸自体に、接触スイッチ（リミットスイッチ等）を設けて、この接触スイッチのオンオフで、膝ボトム１ｂの特定の膝上げ角度を捉えることもできる。
【００１６】
このような制御構成とすれば、使用者の違いによってボトムにかかる荷重が変わって背上げ速度、膝上げ速度が変わっても、また、モータへの電力が変わって、背上下げ速度、膝上げ下げ速度が変わり、所定時間Ｔが変わっても、前記膝ボトム１ｂの膝上げ角度が所定角度に達しなければ、当初の制御手順を実行することはないので、一層、確実に予定通りの、身体への圧迫、ずれ抑制のための動作を実行することができる。
【００１７】
【発明の効果】
以上の通り、本発明によれば、
（１）使用者の上半身は、常時、膝ボトムで支えられ、背ボトムの背下げ動作が完了するまで前記膝ボトムが傾斜した状態にあり、上半身のずり下がりを抑えることができる。
（２）前記膝ボトムは位置検出手段によって所定位置まで傾斜して停止させて、使用者の上半身を支えることができ、背ボトムの背下げ動作が完了するまで前記膝ボトムが傾斜した状態にあり、上半身のずり下がりを抑えることができる。
（３）背ボトムの背上げ状態と膝ボトムの膝上げ状態から、背下げおよび膝下げ動作を行う際でも、背ボトムの背下げ動作完了後に前記膝ボトムの膝下げ動作を完了させるようにしたので、上半身のずり下がりを抑えることができる。
（４）使用者に応じて、膝ボトムの傾斜位置を調節して、最適化することで、ずり下がり抑制と共に、圧迫感を軽減した、快適な背下げ動作を行わせることができる。
（５）使用者によって圧迫を感じる膝ボトムの膝上げ角度が違うので、膝上げ動作時間を調節することにより、使用者に応じた膝ボトムの膝上げ角度を設定することができる。
【００１８】
【図面の簡単な説明】
【図１】本発明にかかるボトム下げ動作制御方法を採用したベッド装置におけるボトムの一つの実施態様を示す、平坦時の側面図である。
【図２】背上げ状態から、背下げ指令を出した際の、膝上げ、背下げを行う際の説明に供する、ボトムの側面図である。
【図３】膝上げ停止と共に、背下げを続行する際の説明に供する、ボトムの側面図である。
【図４】膝下げ開始と共に、背下げを続行する際の説明に供する、ボトムの側面図である。
【図５】膝下げの続行と共に、背下げの完了した状態の説明に供する、ボトムの側面図である。
【図６】背下げおよび膝下げ完了したときの、ボトムの側面図である。
【符号の説明】
１                              ボトム
１ａ                            背ボトム
１ｂ                            膝ボトム
１ｃ                            足ボトム
【図１】
0003615193.tif 000002
【図２】
0003615193.tif 000003
【図３】
0003615193.tif 000004
【図４】
0003615193.tif 000005
【図５】
0003615193.tif 000006
【図６】
0003615193.tif 000007